(57)【要約】【課題】個人毎に着信番号を設定でき、その番号に該当する留守番メッセージを一括して再生可能な情報通信システムおよび情報通信方法を提供する。【解決手段】着信音声を留守電メッセージとして録音する音声録音機能２と、留守番メッセージ保存領域５に保存された留守電メッセージの再生を制御する音声制御機能３と、留守電メッセージを電気信号にして後述のスピーカ２３へ音声信号として出力するための音声再生機能４と、番号（１）〜番号（５）のそれぞれの留守番メッセージを保存するための留守番メッセージ保存領域５と、を備える。端末２０〜２２には、ユーザＡ〜ユーザＣのそれぞれに付与された個別のユーザＩＤと、番号（１）〜番号（５）のいずれかが括りつけされ、端末２０ではユーザＡが自分のユーザＩＤでのみログインでき、この端末２０で着信可能な番号は番号（１）と番号（２）である。【選択図】図２
2008252844.tif 000002
【特許請求の範囲】
【請求項１】
情報通信網に接続された情報通信端末への着信が非応答の場合に該情報通信端末に代わって応答し、その内容を録音して保存するための情報通信システムにおいて、
前記情報通信網と接続する複数の番号毎にそれぞれ前記着信の内容を録音してメッセージとして保存するためのメッセージ保存領域と、
前記情報通信端末に入力されたユーザＩＤに応じて該情報通信端末の利用の可否を管理するためのユーザ情報管理部と、
前記情報通信端末に入力された前記ユーザＩＤに応じて該情報通信端末において利用可能な前記番号を管理するための端末情報管理部と、
前記ユーザＩＤ毎にそれぞれ前記限定された前記番号毎の前記メッセージを呼び出して音声として再生するための音声再生手段と、
を備えることを特徴とする情報通信システム。
【請求項２】
前記メッセージ保存領域に保存された前記メッセージは、前記ユーザＩＤ毎にそれぞれ限定された前記番号毎に削除可能なこと
を特徴とする請求項１に記載の情報通信システム。
【請求項３】
情報通信網に接続された情報通信端末への着信が非応答の場合に該情報通信端末に代わって応答し、その内容を録音して保存するための情報通信方法において、
メッセージ保存領域において前記情報通信網と接続する複数の番号毎にそれぞれ前記着信の内容を録音してメッセージとして保存するステップと、
ユーザ情報管理部において前記情報通信端末に入力されたユーザＩＤに応じて該情報通信端末の利用の可否を管理するステップと、
端末情報管理部において前記ユーザＩＤ毎に予め使用可能な前記番号を選択して限定した端末情報を管理するステップと、
音声再生手段において前記情報通信端末にそれぞれ前記限定された前記番号毎の前記メッセージを呼び出して音声として再生するステップと、
を有することを特徴とする情報通信方法。
【請求項４】
前記メッセージ保存領域に保存された前記メッセージは、前記ユーザＩＤ毎にそれぞれ限定された前記番号毎に削除するためのステップを実行可能なこと
を特徴とする請求項３に記載の情報通信方法。
【発明の詳細な説明】
【技術分野】
【０００１】
本発明は、複数の着信番号の留守番メッセージを一括管理するための情報通信システム、情報通信方法に関する。
【背景技術】
【０００２】
従来よりＩＰ電話端末に対して留守番電話サービスを提供できるＩＰ電話システムが知られている。ＩＰ網に留守番メッセージを保存するためのメッセージ保存サーバを接続し、各ＩＰ電話端末はこのメッセージ保存サーバに接続して、自端末宛の留守番メッセージを聞くことができるものである（特許文献１参照）。
【０００３】
また、このようなＩＰ電話システムを用いない方法としては、ＩＰ電話端末に留守番電話メッセージを録音するための記憶手段を備えた構成が知られており、ＩＰ電話端末の単体で留守番メッセージの設定と着信ができる。
【特許文献１】特開２００６−２７０５４９号公報
【０００４】
【発明の開示】
【発明が解決しようとする課題】
【０００５】
しかしながら、従来技術においては、自分のＩＰ電話端末単体に対する着信を留守番メッセージとして録音するのみであり、自身宛の留守番メッセージは自端末でしか聞くことができなかった。
【０００６】
また、電話端末毎の留守番電話メッセージの管理であるため、着信番号毎や個人毎といった単位での留守番メッセージの管理はできなかった。
【０００７】
このような課題に鑑み、本発明は、個人毎に着信番号を設定でき、その番号に該当する留守番メッセージを一括して再生可能な情報通信システムおよび情報通信方法を提供することを目的とする。
【課題を解決するための手段】
【０００８】
請求項１に記載の本発明は、情報通信網に接続された情報通信端末への着信が非応答の場合に該情報通信端末に代わって応答し、その内容を録音して保存するための情報通信システムにおいて、前記情報通信網と接続する複数の番号毎にそれぞれ前記着信の内容を録音してメッセージとして保存するためのメッセージ保存領域と、前記情報通信端末に入力されたユーザＩＤに応じて該情報通信端末の利用の可否を管理するユーザ情報管理部と、前記ユーザＩＤ毎に予め使用可能な前記番号を選択して限定した端末情報を管理するための端末情報管理部と、前記情報通信端末にそれぞれ前記限定された前記番号毎の前記メッセージを呼び出して音声として再生するための音声再生手段と、を備える。
【０００９】
また、請求項２に記載の本発明は、請求項１において、前記メッセージ保存領域に保存された前記メッセージは、前記ユーザＩＤ毎にそれぞれ限定された前記番号毎に削除可能である。
【００１０】
また、請求項３に記載の本発明は、情報通信網に接続された情報通信端末への着信が非応答の場合に該情報通信端末に代わって応答し、その内容を録音して保存するための情報通信方法において、メッセージ保存領域において前記情報通信網と接続する複数の番号毎にそれぞれ前記着信の内容を録音してメッセージとして保存するステップと、ユーザ情報管理部において前記情報通信端末に入力されたユーザＩＤに応じて該情報通信端末の利用の可否を管理するステップと、端末情報管理部において前記ユーザＩＤ毎に予め使用可能な前記番号を選択して限定した端末情報を管理するステップと、音声再生手段において前記情報通信端末にそれぞれ前記限定された前記番号毎の前記メッセージを呼び出して音声として再生するステップと、を有する。
【００１１】
また、請求項４に記載の本発明は、請求項３において、前記ユーザＩＤ毎にそれぞれ限定された前記番号毎に削除するためのステップを実行可能である。
【発明の効果】
【００１２】
本発明によれば、個人毎に着信番号を設定でき、その番号に該当する留守番メッセージを一括して再生可能な情報通信システムおよび情報通信方法を提供することができる。
【発明を実施するための最良の形態】
【００１３】
図１は、本発明の情報通信システムおよび情報通信方法の実施の形態に係る、全体構成を説明するための構成図を示す。この図１には、サーバ機器もしくはサーバ機器と同等の機能を有する主装置１と、主装置１に接続しているＩＰ電話端末などの端末２０〜２２と、が示され、主装置１はＩＰ電話網などのネットワーク公衆網３０に接続している。ネットワーク公衆網３０を介した外部からの電話発信は、このネットワーク公衆網３０に接続された主装置１により一旦受信し、端末２０〜２２のうちの該当する端末へ接続して着信させる。
【００１４】
ネットワーク公衆網３０を介した外部からの発信において、その発信が宛てた着信先の電話番号は主装置１が提供する複数種類の電話番号のうちのいずれかに対して行われる。なお、ネットワーク公衆網３０と主装置１との接続回線の数はこの図１においては説明のために１回線が示されており、この１回線が予め設定された複数の番号を有している。なお、この回線数は１回線に限定するものではなく、例えば図１中の破線矢印で示すように２回線（２ｃｈ構成）といった１回線以上の回線から構成される場合も含まれている。このような複数の回線からなる構成においても、複数の電話番号が括り付けされている。
【００１５】
そして、外部の発信側から見ると、あたかも複数の回線が主装置１に接続されているかのようにこの主装置１が動作するが、デジタル信号を用いた情報通信方式により複数の番号を持って動作している。
【００１６】
また主装置１は、その設定により１回線に割り当てられた複数の電話番号と後述のユーザＩＤとを括り付け、それに基づきユーザＩＤにより識別された個人毎にそれぞれ個別の着信番号を設定できる。さらには、このユーザＩＤと端末２０〜２２との対応付けを設定して括り付けることにより、それぞれにおいて着信可能な電話番号も互いに異なる電話番号としたり、あるいは共通の電話番号としたりすることができる。
【００１７】
図２は、本発明の情報通信システムおよび情報通信方法の実施の形態に係る、主装置１の構成を説明するための構成図を示している。この図２に示す主装置１には端末２０が接続されて、その端末２０の通信が制御されている。なお、端末２０を説明のために単独で示したが、他の端末２１、端末２２も同様の構成である。
【００１８】
また、主装置１は留守番機能制御部を備えており、その構成は、着信音声を留守電メッセージとして録音するための音声録音機能２と、留守番メッセージ保存領域５に保存された留守電メッセージの音声を再生に際して制御するための音声制御機能３と、留守電メッセージを電気信号にして後述のスピーカ２３へ音声信号として出力するための音声再生機能４と、たとえば番号（１）〜番号（５）のそれぞれの留守番メッセージを保存するための留守番メッセージ保存領域５と、から成り立っている。また、主装置１には留守番機能制御部と共に、端末情報管理部６と、ユーザ情報管理部７と、設定情報管理部８と、が備わる。なお、これらにより構成される留守番機能制御部は通信制御部１０を介してネットワーク公衆網３０と通信可能に接続されている。
【００１９】
また、端末２０（端末２１、２２も同様）には、留守番機能制御部に接続するための送受信部２６と、留守番電話の設定や解除および再生などの操作を入力するための入力部２７と、留守番メッセージを音声に変換して聞くためのスピーカ２３と、端末情報管理部２４と、ユーザ情報管理部２５と、が備わる。
【００２０】
このような図２の構成の動作を図３および図４を参照して説明する。図３には、図１および図２に示した構成において、ネットワーク公衆網３０から番号（１）、番号（２）、番号（４）への着信による留守電メッセージの保存と、端末２０〜２２による留守電メッセージの再生可否の設定を示している。また、図４は図３における動作の説明をするためのフロー図を示している。
【００２１】
まず、主装置１の設定条件として留守番電話メッセージ保存領域５において、番号（１）〜番号（５）までのそれぞれの電話番号に着信した音声を、それぞれ留守電メッセージとして録音し保存するための保存領域を備えている。この保存領域は図２に示す留守番メッセージ保存領域５に示された「番号（１）保存領域」〜「番号（５）保存領域」に該当し、図３においては「番号（１）メッセージ保存領域」〜「番号（５）メッセージ保存領域」がそれぞれ該当する。
【００２２】
また、各端末２０〜２２には、図３に示すユーザＡ〜ユーザＣのそれぞれに予め付与された個別のユーザＩＤと、番号（１）〜番号（５）のうちのいずれかが括りつけされている。この括り付けにより、たとえば端末２０ではユーザＡが自分のユーザＩＤでのみログインでき、この端末２０で着信可能な番号は番号（１）と番号（２）のみである。なお、番号（１）の電話番号は「ＡＡ−ＡＡＡＡ−ＡＡＡＡ」であり、番号（２）の電話番号は「ＢＢ−ＢＢＢＢ−ＢＢＢＢ」であるので、したがって端末２０はこの両者の電話番号宛の着信のみを受信する。同様に、端末２１で着信可能な番号は番号（１）と番号（３）のみでありユーザＢのみがログイン可能であるので、したがって端末２１は番号（１）と番号（３）の電話番号宛の着信のみを受信できる。そして端末２２で着信可能な番号は番号（１）と番号（４）のみでありユーザＣのみがログイン可能であるので、したがって端末２２は番号（１）と番号（４）「ＤＤ−ＤＤＤＤ−ＤＤＤＤ」の電話番号宛の着信のみを受信できる。このようにしてユーザの個人毎に着信番号を設定している。
【００２３】
ここで図４を参照して、ステップＳ１において端末２０から留守番電話メッセージ保存領域５に保存された留守番電話メッセージの再生を実行する。この実行において、端末２０は番号（１）メッセージ保存領域に保存された再生可能なメッセージの再生リストをユーザＡに提示する。番号（１）メッセージ保存領域には、たとえば「１−１」と「１−２」の２つの留守番電話メッセージが保存されており、番号（２）メッセージ保存領域には、たとえば「２−１」というひとつの留守番電話メッセージが保存されている。これらの保存された留守番電話メッセージをユーザＡが再生して聞く。
【００２４】
ここで、ユーザＡは留守番電話メッセージを聞いた後の処置として、不要な留守番電話メッセージの場合は消去し、必要な留守番電話メッセージである場合は保存を維持させるべく削除操作を行わない。たとえば削除を端末２０で行わない場合はステップＳ２へ進む。また、たとえば「１−１」を削除をした場合はステップＳ３へ処理が進む。
【００２５】
ステップＳ２へ処理が進んだ場合は、端末２０での削除が無かったので、端末２１では番号（１）と番号（３）に宛てた留守番電話メッセージを聞くことができる。なお、この図３では番号（３）には着信が無く留守番電話メッセージも保存されていない場合を示している。そのため、端末２１で聞ける留守番電話メッセージは番号（１）メッセージ保存領域にある「１−１」と「１−２」の２件のみとなる。
【００２６】
また、一方でステップ３へ処理が進んだ場合は、たとえばステップＳ１でユーザＡが端末２０を介して留守番電話メッセージ「１−１」を削除しているので、再生可能なものは「１−２」の留守番電話メッセージのみとなる。
【００２７】
次に、端末２２にてユーザＣが留守番電話メッセージを再生して聞く。端末２２は番号（１）と番号（４）が接続されているので、ユーザＣは番号（１）メッセージ保存領域に保存された留守番電話メッセージと、番号（４）メッセージ保存領域に保存された留守番電話メッセージを聞くことができる。
【００２８】
ここで、ステップＳ１とステップＳ２を経てステップＳ４へ進んだ場合は、留守番電話メッセージは何も削除されていないので「１−１」、「１−２」、「４−１」の３種類の留守番電話メッセージを聞くことができる。
【００２９】
また、ステップＳ１からステップＳ３へ進んで、ステップＳ３で削除が無い場合は、「１−１」のみが既に削除されているので、ステップＳ５にて「１−２」、「４−１」の２種類の留守番電話メッセージを聞くことができる。
【００３０】
また、ステップＳ３において「１−２」を削除した場合はステップＳ６において「４−１」の留守番電話メッセージのみが再生可能である。
【００３１】
以上説明した本発明の実施の形態によれば、個人毎に着信番号を設定でき、その番号に該当する留守番メッセージを一括して再生可能な情報通信システムおよび情報通信方法を提供することができる。
【図面の簡単な説明】
【００３２】
【図１】本発明の実施の形態に係る、全体構成を説明するための構成図を示す。
【図２】本発明の実施の形態に係る、主装置の構成を説明するための構成図を示す。
【図３】本発明の実施の形態に係る、留守番電話メッセージの再生を説明するための説明図を示す。
【図４】本発明の実施の形態に係る、留守番電話メッセージの再生を説明するためのフロー図を示す。
【符号の説明】
【００３３】
１  主装置
２  音声録音機能
３  音声制御機能
４  音声再生機能
５  留守番メッセージ保存領域
６  端末情報管理部
７  ユーザ情報管理部
８  設定情報管理部
２０、２１、２２  端末
３０  ネットワーク公衆網
【図１】
2008252844.tif 000003
【図２】
2008252844.tif 000004
【図３】
2008252844.tif 000005
【図４】
2008252844.tif 000006